(57)【要約】【課題】利便性や操作性を向上することができるプロジェクタユニット及び該プロジェクタユニット及び携帯用情報機器を備える電子機器を提供する。【解決手段】プロジェクタユニット１０は、タブレット型ＰＣ１２の一側面１２ａに設けられた被装着部１６に対して着脱可能な装着部３２を有する筐体２４と、被装着部１６に対して装着部３２が装着された状態でタブレット型ＰＣ１２側の端子２２と電気的に接続される接続端子部２６と、筐体２４に対して回転可能に取り付けられることで、投射レンズ４４からの投射方向を変更可能なプロジェクタ部２８とを備える。【選択図】図２
2017107126.tif 000002
【特許請求の範囲】
【請求項１】
携帯用情報機器の一側面に設けられた被装着部に対して着脱可能な装着部を有する筐体と、
前記被装着部に対して前記装着部が装着された状態で前記携帯用情報機器側の端子と電気的に接続される接続端子部と、
前記筐体に対して回転可能に取り付けられることで、投射レンズからの投射方向を変更可能なプロジェクタ部とを備えることを特徴とするプロジェクタユニット。
【請求項２】
請求項１記載のプロジェクタユニットにおいて、
前記プロジェクタ部を前記筐体に対して回転させることで、前記投射レンズを前記筐体の内側に収納可能であることを特徴とするプロジェクタユニット。
【請求項３】
請求項１又は２記載のプロジェクタユニットにおいて、
前記筐体は、前記携帯用情報機器の一側面に沿って延在する棒形状を有し、
前記筐体は、その一面側に前記装着部が設けられ、前記一面側とは反対側の他面側に前記プロジェクタ部が設けられていることを特徴とするプロジェクタユニット。
【請求項４】
請求項３記載のプロジェクタユニットにおいて、
前記プロジェクタ部の前記筐体に対する回転軸は、前記携帯用情報機器の一側面に沿う前記筐体の長手方向に沿って設けられていることを特徴とするプロジェクタユニット。
【請求項５】
請求項１〜４のいずれか１項に記載のプロジェクタユニットと、前記携帯用情報機器とを備えることを特徴とする電子機器。
【請求項６】
請求項５記載の電子機器において、
前記携帯用情報機器は、前記被装着部が設けられた前記一側面に沿った回動軸を中心に回動し、該携帯用情報機器を起立姿勢に保持可能なスタンド部を備えることを特徴とする電子機器。
【請求項７】
請求項５又は６記載の電子機器において、
前記携帯用情報機器は、タッチ操作可能なディスプレイを備えたタブレット型のパーソナルコンピュータであり、
前記プロジェクタ部は、前記ディスプレイの表示内容を投射可能であることを特徴とする電子機器。 
【発明の詳細な説明】
【技術分野】
【０００１】
本発明は、携帯用情報機器に対して着脱可能なプロジェクタユニット及び該プロジェクタユニット及び携帯用情報機器を備える電子機器に関する。
【背景技術】
【０００２】
例えばノート型パーソナルコンピュータ（ノート型ＰＣ）やタブレット型パーソナルコンピュータ（タブレット型ＰＣ）等の携帯用情報機器は、携帯性重視の観点からディスプレイの大きさが制限されている。このため、携帯用情報機器をプレゼンテーション等で使用する際は、外部機器であるプロジェクタ装置を利用することが一般的に行われている。
【０００３】
ところが、上記のようなプロジェクタ装置は携帯性に乏しく、その使用場所や使用機会が限定される。そこで、例えば特許文献１では、ノート型ＰＣの背面側にプロジェクタ装置を搭載した構成が提案されている。
【先行技術文献】
【特許文献】
【０００４】
【特許文献１】特開平１０−６９３２８号公報
【発明の概要】
【発明が解決しようとする課題】
【０００５】
上記特許文献１記載の構成は、ノート型ＰＣにプロジェクタ装置を一体的に搭載しているため、プロジェクタ装置の投射レンズからの映像や画像の投射方向が一方向に限定される。このため、投射方向を上下方向等に移動させ、或いはスクリーンに対するピントを合わせる際は、ノート型ＰＣ自体を移動させる必要があり、手間がかかる。
【０００６】
さらに上記特許文献１には、ノート型ＰＣに対して着脱可能なプロジェクタ装置が開示されている。ところが、このプロジェクタ装置はノート型ＰＣの本体からディスプレイを取り外した部分に該ディスプレイの代わりに装着されるものとなっている。従って、プロジェクタ装置の使用時にはノート型ＰＣのディスプレイを視認することができないため利便性や操作性が低く、またディスプレイが装着されたノート型ＰＣとプロジェクタ装置を一体にして持ち運ぶことができない。
【０００７】
本発明は、上記従来技術の課題を考慮してなされたものであり、利便性や操作性を向上することができるプロジェクタユニット及び該プロジェクタユニット及び携帯用情報機器を備える電子機器を提供することを目的とする。
【課題を解決するための手段】
【０００８】
本発明に係るプロジェクタユニットは、携帯用情報機器の一側面に設けられた被装着部に対して着脱可能な装着部を有する筐体と、前記被装着部に対して前記装着部が装着された状態で前記携帯用情報機器側の端子と電気的に接続される接続端子部と、前記筐体に対して回転可能に取り付けられることで、投射レンズからの投射方向を変更可能なプロジェクタ部とを備えることを特徴とする。
【０００９】
このような構成によれば、当該プロジェクタユニットを携帯用情報機器に装着した状態でプロジェクタ部の回転位置を調整することができる。これにより、投射レンズからの投射光の投射方向を上下方向に移動させ、或いはスクリーンに対するピントを容易に合わせることができ、高い利便性及び操作性が得られる。また、当該プロジェクタユニットは携帯用情報機器の一側面に対して装着されるため、携帯用情報機器のディスプレイを視認及び操作しながらスクリーンに対する投射を行うことができ、利便性や操作性が一層向上する。しかも当該プロジェクタユニットは、携帯用情報機器の一側面に対して着脱可能に構成されているため、不使用時には取り外しておいて携帯用情報機器を単体で使用することができる一方、常時装着しておいて携帯用情報機器と一体的に持ち運ぶこともできる。
【００１０】
前記プロジェクタ部を前記筐体に対して回転させることで、前記投射レンズを前記筐体の内側に収納可能な構成としてもよい。そうすると、レンズカバー等を設けることなく持ち運び時や不使用時における投射レンズの損傷を防止できる。
【００１１】
前記筐体は、前記携帯用情報機器の一側面に沿って延在する棒形状を有し、前記筐体は、その一面側に前記装着部が設けられ、前記一面側とは反対側の他面側に前記プロジェクタ部が設けられた構成としてもよい。そうすると、当該プロジェクタユニットを携帯用情報機器に装着した状態でプロジェクタ部の回転角度を円滑に調整することができ、投射位置やピント等の調整自由度が大きくなる。
【００１２】
前記プロジェクタ部の前記筐体に対する回転軸は、前記携帯用情報機器の一側面に沿う前記筐体の長手方向に沿って設けられた構成であってもよい。
【００１３】
また、本発明に係る電子機器は、上記構成のプロジェクタユニットと、前記携帯用情報機器とを備えることを特徴とする。
【００１４】
この場合、前記携帯用情報機器は、前記被装着部が設けられた前記一側面に沿った回動軸を中心に回動し、該携帯用情報機器を起立姿勢に保持可能なスタンド部を備えた構成であってもよい。そうすると、携帯用情報機器を所望の起立姿勢に保持することができ、その一側面に装着されたプロジェクタユニットからの投射光の投射方向をより円滑に調整することが可能となる。
【００１５】
前記携帯用情報機器は、タッチ操作可能なディスプレイを備えたタブレット型のパーソナルコンピュータであり、前記プロジェクタ部は、前記ディスプレイの表示内容を投射可能な構成であってもよい。そうすると、ディスプレイを視認及び操作しながらプロジェクタユニットから同様な映像等を投射することができ、高い利便性や操作性が得られる。
【発明の効果】
【００１６】
本発明によれば、プロジェクタユニットを携帯用情報機器に対して着脱可能に構成すると共に、装着した状態でプロジェクタ部の回転位置を調整することができるため、高い利便性及び操作性が得られる。
【図面の簡単な説明】
【００１７】
【図１】図１は、本発明の一実施形態に係るプロジェクタユニットをタブレット型ＰＣに装着した電子機器を背面側から見た斜視図である。
【図２】図２は、図１に示す電子機器を正面側から見た斜視図である。
【図３】図３は、プロジェクタユニットをタブレット型ＰＣから取り外した状態での平面図である。
【図４】図４は、プロジェクタユニットをタブレット型ＰＣから取り外した状態での底面図である。
【図５】図５は、プロジェクタ部付近を拡大した斜視図であり、図５（Ａ）は、投射レンズを外方に向けた状態を示す図であり、図５（Ｂ）は、投射レンズを筐体の凹部内に収納した状態を示す図である。
【図６】図６は、プロジェクタユニットの装着部の構成を説明するための斜視説明図である。
【図７】図７は、図６に示す状態から着脱操作レバーを倒した状態を示す斜視説明図である。
【図８】図８は、プロジェクタユニット側の係合フックをタブレット型ＰＣ側の係合穴に係合させる動作を示す平面断面図であり、図８（Ａ）は、係合フックを係合穴に挿入した状態を示す平面断面図であり、図８（Ｂ）は、図８（Ａ）に示す状態から着脱操作レバーを倒し操作して係合フックを係合穴に係合させた状態を示す平面断面図である。
【図９】図９は、プロジェクタユニットをタブレット型ＰＣに装着する直前の状態を示す分解斜視図である。
【図１０】図１０は、図９に示す状態からプロジェクタユニットをタブレット型ＰＣに装着した状態を示す斜視図である。
【発明を実施するための形態】
【００１８】
以下、本発明に係るプロジェクタユニットについて、このユニットが装着される携帯用情報機器を例示して好適な実施の形態を挙げ、添付の図面を参照しながら詳細に説明する。
【００１９】
図１は、本発明の一実施形態に係るプロジェクタユニット１０をタブレット型ＰＣ１２に装着した電子機器１４を背面側から見た斜視図であり、図２は、図１に示す電子機器１４を正面側から見た斜視図である。また、図３は、プロジェクタユニット１０をタブレット型ＰＣ１２から取り外した状態での平面図であり、図４は、プロジェクタユニット１０をタブレット型ＰＣ１２から取り外した状態での底面図である。
【００２０】
本実施形態に係るプロジェクタユニット１０は、タブレット型ＰＣ１２の一側面１２ａに装着され、スクリーンＳに対して映像や画像等の投射光Ｐを投射して表示するプロジェクタ装置である。プロジェクタユニット１０はタブレット型ＰＣ１２以外の携帯用情報機器、例えばノート型ＰＣやスマートフォン等を装着対象としてもよい。
【００２１】
図１及び図２に示すように、タブレット型ＰＣ１２は、タッチパネル式の液晶表示部からなるディスプレイ１２ｂを備える。タブレット型ＰＣ１２は、その内部に基板、演算装置及びメモリ等の各種電子部品（図示せず）を収納している。タブレット型ＰＣ１２の一側面１２ａには、プロジェクタユニット１０が装着される被装着部１６が設けられている（図３及び図４参照）。被装着部１６は、タブレット型ＰＣ１２の左右両端側に設けられた一対の位置決め穴１９，１９と、左右の位置決め穴１９，１９間に設けられた一対の係合穴２０，２０とを備える。さらに一側面１２ａの中央には、コネクタである端子２２が突設されている。
【００２２】
タブレット型ＰＣ１２は、ディスプレイ１２ｂ側の裏面となる背面１２ｃにスタンド部１８を備える（図１、図２及び図４参照）。スタンド部１８は、一側面１２ａ近傍で該一側面１２ａに沿った軸方向を有する回動軸１８ａを中心に回動可能な矩形状のプレートである。スタンド部１８は、回動軸１８ａを中心に開放端１８ｂを背面１２ｃから離間する方向に略９０度回動させることで該背面１２ｃから略垂直方向に突出し、タブレット型ＰＣ１２を所望の起立姿勢に保持するスタンドとして機能する。
【００２３】
プロジェクタユニット１０を装着していない状態でスタンド部１８を略９０度回動させると、一側面１２ａと開放端１８ｂとを載置面上に着地させた起立姿勢にタブレット型ＰＣ１２を保持することができる。また、プロジェクタユニット１０を装着した状態又は装着していない状態でスタンド部１８を略９０度回動させると、図１及び図２に示すように一側面１２ａ側とは反対側の側面と開放端１８ｂとを載置面上に着地させた起立姿勢にタブレット型ＰＣ１２を保持することができる。
【００２４】
図１〜図４に示すように、プロジェクタユニット１０は、筐体２４と、筐体２４の外面に設けられた接続端子部２６（図３参照）と、筐体２４に対して回転可能に取り付けられたプロジェクタ部２８とを備える。
【００２５】
筐体２４は、一側側に絞り形状を有し、タブレット型ＰＣ１２の一側面１２ａに沿って延在する断面略涙形の棒形状に形成されている。筐体２４の長手方向寸法は、タブレット型ＰＣ１２の一側面１２ａの幅寸法と略同一に設定してある。筐体２４は、その内部に基板及び演算装置等の各種電子部品（図示せず）やバッテリ装置２９（図４参照）を収納している。筐体２４の上面には、当該プロジェクタユニット１０の起動ボタン３０や調整ボタン３１が設けられている。調整ボタン３１は、台形補正ボタン等の投射している映像を調整するためのボタンである。
【００２６】
プロジェクタユニット１０は、バッテリ装置２９を省略してタブレット型ＰＣ１２の電源を利用してもよいが、バッテリ装置２９を搭載していることでタブレット型ＰＣ１２側のバッテリ装置（図示せず）の消費を抑制できる。
【００２７】
筐体２４の絞り形状の先端側に形成された一側面２４ａには、タブレット型ＰＣ１２の被装着部１６に対して着脱される装着部３２が設けられている。装着部３２は、タブレット型ＰＣ１２の各位置決め穴１９に挿入させる一対の位置決め突起３４，３４と、各係合穴２０に係合させる一対の係合フック３６，３６とを備える。筐体２４の下面には左右一対の着脱操作レバー３８，３８が回動可能に設けられている。各着脱操作レバー３８は、それぞれ近接位置にある各係合フック３６を操作するためのものである。筐体２４の一端面には、ＨＤＭＩ（登録商標）やＵＳＢ等の所定の接続規格のコネクタ３９が設けられている。
【００２８】
接続端子部２６は、筐体２４の一側面２４ａの中央に設けられている。接続端子部２６は、タブレット型ＰＣ１２の端子２２と電気的に接続されるコネクタである。接続端子部２６が端子２２に接続されることにより、タブレット型ＰＣ１２からの映像等の出力をプロジェクタユニット１０からスクリーンＳに投射可能となる。
【００２９】
プロジェクタ部２８は、筐体２４の外面を切り欠いた形状の凹部２４ｂ内に配置されることで、筐体２４の外形の一部を構成している。プロジェクタ部２８は、装着部３２を設けた一側面２４ａとは反対側の他側面に配設されている。プロジェクタ部２８は、筐体２４の長手方向に沿って設けられた回転軸２８ａ（図３参照）によって筐体２４に軸支された筒形筐体４０を備える。筒形筐体４０の一端部外周面には該筒形筐体４０を手動で回転させる操作ダイヤル４２が設けられ、操作ダイヤル４２の側部には投射レンズ４４が設けられている。
【００３０】
投射レンズ４４は、筒形筐体４０の外面に配置され、筒形筐体４０内に配設された図示しない光源から照射されて光源素子や変調素子を通過した投射光Ｐを外部のスクリーンＳに向かって投射する投光部である。このようなプロジェクタ部２８の内部構造は、公知のプロジェクタ装置と同様な構成でよい。
【００３１】
図５は、プロジェクタ部２８付近を拡大した斜視図であり、図５（Ａ）は、投射レンズ４４を外方に向けた状態を示す図であり、図５（Ｂ）は、投射レンズ４４を筐体２４の凹部２４ｂ内に収納した状態を示す図である。
【００３２】
プロジェクタ部２８は、上記のように筐体２４に対して回転可能に取り付けられている。プロジェクタ部２８の回動角度範囲は、筒形筐体４０を少なくとも図２及び図５（Ａ）に示すように投射レンズ４４を正面側に向けた方向から背面側に向けた方向までの１８０度以上に設定されている。このため、図２及び図５（Ａ）中に矢印で示すように操作ダイヤル４２を操作して筒形筐体４０の角度位置を変更することにより、投射レンズ４４からの投射光Ｐの投射方向を変更することができる。また筒形筐体４０を図５（Ａ）に示す角度位置から図５（Ｂ）に示すように１８０度反転させることにより、投射レンズ４４を筐体２４の凹部２４ｂの内側に収納することができ、レンズカバーを省略することができる。
【００３３】
次に、このようなプロジェクタユニット１０のタブレット型ＰＣ１２に対する着脱構造及び動作について具体的に説明する。
【００３４】
図６は、プロジェクタユニット１０の装着部３２の構成を説明するための斜視説明図であり、着脱操作レバー３８を起こした状態を示す。図７は、図６に示す状態から着脱操作レバー３８を倒した状態を示す斜視説明図である。また、図８は、プロジェクタユニット１０側の係合フック３６をタブレット型ＰＣ１２側の係合穴２０に係合させる動作を示す平面断面図であり、図８（Ａ）は、係合フック３６を係合穴２０に挿入した状態を示す平面断面図であり、図８（Ｂ）は、図８（Ａ）に示す状態から着脱操作レバー３８を倒し操作して係合フック３６を係合穴２０に係合させた状態を示す平面断面図である。
【００３５】
図６〜図８に示すように、装着部３２は、係合フック３６と、係合フック３６を保持するベース部材４６と、ベース部材４６及び係合フック３６を可動させる着脱操作レバー３８とを備える。これら係合フック３６、ベース部材４６及び着脱操作レバー３８は、金属薄板を略Ｕ字屈曲させたブラケット４８を介して筐体２４の内部に取り付けられている。
【００３６】
係合フック３６は、筐体２４の一側面２４ａに該一側面２４ａの長手方向に沿って形成された長孔２４ｃから突出しており、この突出した先端に爪部３６ａを有する。係合フック３６の基端側側面には、着脱操作レバー３８のフック押圧部３８ａによって押圧される受圧部３６ｂが突設されている。係合フック３６は、その基端部がベース部材４６に対して左右方向（一側面２４ａの長手方向に沿う方向）に移動可能な状態で支持されている。係合フック３６は、図示しない弾性部材によって係合穴２０に対する係合が解除される後退方向（図８中で左方向）に付勢されている。
【００３７】
ベース部材４６は、ブラケット４８の内側で前後方向（一側面２４ａに対して接離する方向）に移動可能に支持されている。ベース部材４６の係合フック３６側とは反対側の面は、ブラケット４８との間に介在したコイルばね４９によって係合フック３６が長孔２４ｃから突出する方向に付勢されている。ベース部材４６の左右側部には、着脱操作レバー３８に設けられた一対のベース押圧部３８ｂ，３８ｂによって押圧される一対の傾斜面部４６ａ，４６ａが設けられている。
【００３８】
着脱操作レバー３８は、左右の回動軸５０を介して筐体２４に回動可能に支持されている。回動軸５０が設けられた着脱操作レバー３８の回動基端部分には、上記したベース押圧部３８ｂ、フック押圧部３８ａ及びベース押圧部３８ｂが軸方向に順に並んで設けられている。
【００３９】
図９は、プロジェクタユニット１０をタブレット型ＰＣ１２に装着する直前の状態を示す分解斜視図であり、図１０は、図９に示す状態からプロジェクタユニット１０をタブレット型ＰＣ１２に装着した状態を示す斜視図である。
【００４０】
先ず、プロジェクタユニット１０のタブレット型ＰＣ１２に対する着脱動作の概要を説明する。
【００４１】
プロジェクタユニット１０をタブレット型ＰＣ１２に装着する際には、図９に示すように各着脱操作レバー３８のプレート部分を筐体２４の外面から起こした状態とし、係合フック３６を所定の係合可能位置に設定する。この状態では、図６及び図８（Ａ）に示すように着脱操作レバー３８のフック押圧部３８ａ及びベース押圧部３８ｂによる受圧部３６ｂ及び傾斜面部４６ａに対する押圧力が解除されている。このため、装着部３２では、ベース部材４６がコイルばね４９の付勢力によって係合フック３６を長孔２４ｃから突出させる前進位置にあり、同時に係合フック３６は図示しない弾性部材の付勢力によって後退位置にある。
【００４２】
続いて、プロジェクタユニット１０の装着部３２を構成する各位置決め突起３４及び各係合フック３６をタブレット型ＰＣ１２の被装着部１６を構成する各位置決め穴１９及び係合穴２０に対して挿入し、接続端子部２６を端子２２に接続する。
【００４３】
次いで、図１０に示すように各着脱操作レバー３８のプレート部分を筐体２４の外面に対して押し倒す。そうすると、図７及び図８（Ｂ）に示すように着脱操作レバー３８のベース押圧部３８ｂによって傾斜面部４６ａが押圧されてベース部材４６及びこれに保持された係合フック３６が後退位置に移動し、同時にフック押圧部３８ａよって受圧部３６ｂが押圧されて係合フック３６が係合穴２０に対する係合方向に移動する。これにより、図８（Ｂ）に示すように係合フック３６の爪部３６ａが係合穴２０に対して係合し、プロジェクタユニット１０がタブレット型ＰＣ１２に対して一体的に装着される。
【００４４】
そこで、例えばスタンド部１８を引き出して、プロジェクタ部２８の回転角度を調整することにより、図１及び図２に示すように投射レンズ４４からの投射光Ｐを所望の投射角度でスクリーンＳに投射することが可能となる。
【００４５】
以上のように、本実施形態に係るプロジェクタユニット１０では、タブレット型ＰＣ１２の一側面１２ａに設けられた被装着部１６に対して着脱可能な装着部３２を有する筐体２４と、被装着部１６に対して装着部３２が装着された状態でタブレット型ＰＣ１２側の端子２２と電気的に接続される接続端子部２６と、筐体２４に対して回転可能に取り付けられることで、投射レンズ４４からの投射方向を変更可能なプロジェクタ部２８とを備える。
【００４６】
従って、プロジェクタユニット１０をタブレット型ＰＣ１２に装着した状態で、プロジェクタ部２８の回転位置を調整することができる。これにより、投射レンズ４４からの投射光Ｐの投射方向を上下方向に移動させ、或いはスクリーンＳに対するピントを容易に合わせることができ、高い利便性及び操作性が得られる。また、プロジェクタユニット１０はタブレット型ＰＣ１２の一側面１２ａに対して装着されるため、タブレット型ＰＣ１２のディスプレイ１２ｂを視認及び操作しながらスクリーンＳに対する投射を行うことができ、利便性や操作性が一層向上する。しかもプロジェクタユニット１０はタブレット型ＰＣ１２の一側面１２ａに対して着脱可能に構成されている。このため、不使用時には取り外しておいてタブレット型ＰＣ１２を単体で使用することができる一方、常時装着しておいてタブレット型ＰＣ１２と一体的に持ち運ぶこともできる。
【００４７】
特に、当該電子機器１４では、タブレット型ＰＣ１２はタッチ操作可能なディスプレイ１２ｂを備え、プロジェクタ部２８はディスプレイ１２ｂの表示内容を投射可能となっている。このため、ディスプレイ１２ｂを視認及び操作しながらプロジェクタユニット１０から同様な映像等を投射することができ、一層高い利便性や操作性が得られる。
【００４８】
当該プロジェクタユニット１０では、プロジェクタ部２８を筐体２４に対して回転させることで、投射レンズ４４を筐体２４の内側に収納することができる。これにより、レンズカバー等を設けることなく持ち運び時や不使用時における投射レンズ４４の損傷を防止できる。
【００４９】
当該プロジェクタユニット１０では、筐体２４はタブレット型ＰＣ１２の一側面１２ａに沿って延在する棒形状を有し、筐体２４はその一側面２４ａに装着部３２が設けられ、一側面２４ａとは反対側の他側面側に回転可能なプロジェクタ部２８が設けられている。このため、図２に示すようにプロジェクタユニット１０をタブレット型ＰＣ１２に装着した状態でプロジェクタ部２８の回転角度を円滑に調整することができ、スクリーンＳに対する投射位置やピント等の調整自由度が大きい。
【００５０】
なお、本発明は、上記した実施形態に限定されるものではなく、本発明の主旨を逸脱しない範囲で自由に変更できることは勿論である。
【符号の説明】
【００５１】
１０  プロジェクタユニット
１２  タブレット型ＰＣ
１２ａ，２４ａ  一側面
１２ｂ  ディスプレイ
１２ｃ  背面
１４  電子機器
１６  被装着部
１８  スタンド部
１８ａ，５０  回動軸
１９  位置決め穴
２０  係合穴
２２  端子
２４  筐体
２４ｂ  凹部
２６  接続端子部
２８  プロジェクタ部
２８ａ  回転軸
３２  装着部
３４  位置決め突起
３６  係合フック
３８  着脱操作レバー
４０  筒形筐体
４２  操作ダイヤル
４４  投射レンズ
４６  ベース部材
Ｐ  投射光
Ｓ  スクリーン
【図１】
2017107126.tif 000003
【図２】
2017107126.tif 000004
【図３】
2017107126.tif 000005
【図４】
2017107126.tif 000006
【図５】
2017107126.tif 000007
【図６】
2017107126.tif 000008
【図７】
2017107126.tif 000009
【図８】
2017107126.tif 000010
【図９】
2017107126.tif 000011
【図１０】
2017107126.tif 000012
【手続補正書】
【提出日】平成28年10月28日(2016.10.28)
【手続補正１】
【補正対象書類名】特許請求の範囲
【補正対象項目名】全文
【補正方法】変更
【補正の内容】
【特許請求の範囲】
【請求項１】
携帯用情報機器の一側面に設けられた被装着部に対して着脱可能な装着部を有する筐体と、
前記被装着部に対して前記装着部が装着された状態で前記携帯用情報機器側の端子と電気的に接続される接続端子部と、
前記筐体に対して回転可能に取り付けられることで、投射レンズからの投射方向を変更可能なプロジェクタ部とを備え、
前記プロジェクタ部を前記筐体に対して回転させることで、前記投射レンズを前記筐体の内側に収納可能であることを特徴とするプロジェクタユニット。
【請求項２】
携帯用情報機器の一側面に設けられた被装着部に対して着脱可能な装着部を有する筐体と、
前記被装着部に対して前記装着部が装着された状態で前記携帯用情報機器側の端子と電気的に接続される接続端子部と、
前記筐体に対して回転可能に取り付けられることで、投射レンズからの投射方向を変更可能なプロジェクタ部とを備え、
前記筐体は、前記携帯用情報機器の一側面に沿って延在する棒形状を有し、
前記筐体は、その一面側に前記装着部が設けられ、前記一面側とは反対側の他面側に前記プロジェクタ部が設けられていることを特徴とするプロジェクタユニット。
【請求項３】
請求項２記載のプロジェクタユニットにおいて、
前記プロジェクタ部の前記筐体に対する回転軸は、前記携帯用情報機器の一側面に沿う前記筐体の長手方向に沿って設けられていることを特徴とするプロジェクタユニット。
【請求項４】
請求項１〜３のいずれか１項に記載のプロジェクタユニットと、前記携帯用情報機器とを備えることを特徴とする電子機器。
【請求項５】
携帯用情報機器の一側面に設けられた被装着部に対して着脱可能な装着部を有する筐体と、
前記被装着部に対して前記装着部が装着された状態で前記携帯用情報機器側の端子と電気的に接続される接続端子部と、
前記筐体に対して回転可能に取り付けられることで、投射レンズからの投射方向を変更可能なプロジェクタ部とを備えるプロジェクタユニットと、前記携帯用情報機器とを備える電子機器であって、
前記携帯用情報機器は、前記被装着部が設けられた前記一側面に沿った回動軸を中心に回動し、該携帯用情報機器を起立姿勢に保持可能なスタンド部を備えることを特徴とする電子機器。
【請求項６】
請求項４又は５記載の電子機器において、
前記携帯用情報機器は、タッチ操作可能なディスプレイを備えたタブレット型のパーソナルコンピュータであり、
前記プロジェクタ部は、前記ディスプレイの表示内容を投射可能であることを特徴とする電子機器。
【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
携帯用情報機器の一側面に設けられた被装着部に対して着脱可能な装着部を有する筐体と、
前記被装着部に対して前記装着部が装着された状態で前記携帯用情報機器側の端子と電気的に接続される接続端子部と、
前記筐体に対して回転可能に取り付けられることで、投射レンズからの投射方向を変更可能なプロジェクタ部とを備え、
前記筐体は、前記携帯用情報機器の一側面に沿って延在する棒形状を有し、
前記筐体は、その一面側に前記装着部が設けられ、前記一面側とは反対側の他面側に前記プロジェクタ部が設けられていることを特徴とするプロジェクタユニット。
【請求項２】
請求項１記載のプロジェクタユニットにおいて、
前記プロジェクタ部の前記筐体に対する回転軸は、前記携帯用情報機器の一側面に沿う前記筐体の長手方向に沿って設けられていることを特徴とするプロジェクタユニット。
【請求項３】
請求項１又は２記載のプロジェクタユニットと、前記携帯用情報機器とを備えることを特徴とする電子機器。
【請求項４】
携帯用情報機器の一側面に設けられた被装着部に対して着脱可能な装着部を有する筐体と、
前記被装着部に対して前記装着部が装着された状態で前記携帯用情報機器側の端子と電気的に接続される接続端子部と、
前記筐体に対して回転可能に取り付けられることで、投射レンズからの投射方向を変更可能なプロジェクタ部とを備えるプロジェクタユニットと、前記携帯用情報機器とを備える電子機器であって、
前記携帯用情報機器は、前記被装着部が設けられた前記一側面に沿った回動軸を中心に回動し、該携帯用情報機器を起立姿勢に保持可能なスタンド部を備えることを特徴とする電子機器。
【請求項５】
請求項３又は４記載の電子機器において、
前記携帯用情報機器は、タッチ操作可能なディスプレイを備えたタブレット型のパーソナルコンピュータであり、
前記プロジェクタ部は、前記ディスプレイの表示内容を投射可能であることを特徴とする電子機器。